(57)【要約】【課題】特別な技術を要さず時計の意匠を交換可能とし、ユーザーにおいても様々な意匠に簡単に変更することができる時計を提供する。【解決手段】時計１は、時分針5の背面側に交換可能に配置される意匠部材10と、時分針5を回転させる時計機構20と、時分針5の背面側であり時計機構20の前面側に配置される透明板30とを備え、意匠部材10は透明板30の背面側であり時計機構20と重ならない位置に配置されている。 【選択図】    図1
2018136251.tif 000002
【特許請求の範囲】
【請求項１】
時計の時分針の背面側に交換可能に配置される意匠部材。
【請求項２】
請求項１に記載の意匠部材と、時分針を回転させる時計機構と、時分針の背面側であり時計機構の前面側に配置される透明板とを備え、意匠部材は透明板の背面側であり時計機構と重ならない位置に配置されている時計。
【請求項３】
透明板は時計機構に固定され、透明板と意匠部材には、透明板に意匠部材を適正な位置に配置した場合に互いに一致する一致部を複数備える請求項２の時計。
【発明の詳細な説明】
【技術分野】
【０００１】
本発明は、意匠部材及び時計に関する。
【背景技術】
【０００２】
通常時計は文字盤を交換することは出来ない。ところが、時計の文字盤を交換することで、時計全体のデザイン性が大幅に変わるため、文字盤のみを交換して意匠を変更したい
という要望がある。
【発明の概要】
【発明が解決しようとする課題】
【０００３】
しかしながら、文字盤を変えるには、時分針を取り外した後に文字盤を交換し、また時分針をはめ込むという作業の工程が必要である。風防ガラスを有する時計においては、時計本体を分解し風防ガラスを除いてから時分針を取り外す必要がある。
特に時分針の脱着は繊細な技術を要するためユーザーレベルでの作業は破損や故障の原因となる可能性がある。
【０００４】
本発明は特別な技術を要さず簡単に時計の意匠を変更可能とし、ユーザーにおいても様々な意匠を簡単に変更可能とすることを目的とする。
【課題を解決するための手段】
【０００５】
（1）時計の時分針の背面側に交換可能に配置される意匠部材。
【０００６】
（２）（1）に記載の意匠部材と、時分針を回転させる時計機構と、時分針の背面側であり時計機構の前面側に配置される透明板とを備え、意匠部材は透明板の背面側であり時計機構と重ならない位置に配置されている時計。
【０００７】
（３）透明板は時計機構に固定され、透明板と意匠部材には、透明板に意匠部材を適正な位置に配置した場合に互いに一致する一致部を複数備える（２）の時計。
【発明の効果】
【０００８】
本発明は特別な技術を要さず時計の意匠を交換可能とし、ユーザーにおいても様々な意匠に簡単に変更することが可能となる。
【図面の簡単な説明】
【０００９】
【図１】本発明の実施形態を示す正面側分解斜視図
【図２】図１に示した本発明の実施形態における正面側完成斜視図
【図３】図１に示した本発明の実施形態における背面側分解斜視図,完成斜視図
【図４】図１に示した本発明の実施形態における正面図とその正面図におけるA-A断面図
【図５】図１に示した本発明の実施形態における意匠部材を立体的意匠にした場合の分解斜視図、完成斜視図
【図６】本発明の実施形態の変形例を示す正面側分解斜視図、完成斜視図
【図７】図6に示した本発明の実施形態の変形例における背面側斜視図
【図８】図6に示した本発明の実施形態の変形例における正面図とその正面図におけるB-B断面図
【発明を実施するための形態】
【００１０】
以下、本発明の実施の形態を図１〜図８に基いて説明する。    
【００１１】
図１から図5は本実施形態を説明する図である。
【００１２】
時計１は、時分針5の背面側に交換可能に配置される意匠部材10と、時分針5を回転させる時計機構20と、時分針5の背面側であり時計機構20の前面側に配置される透明板30とを備え、意匠部材10は透明板30の背面側であり時計機構20と重ならない位置に配置されている。
【００１３】
時計１は、透明板30が時計機構20に固定され、透明板30と意匠部材10には、透明板30に意匠部材10を適正な位置に配置した場合に互いに一致する一致部50（ねじ部、切り欠き、しるし等）を複数備える。
【００１４】
上述したように本実施形態によれば、時分針5に触れることなく文字盤等となる意匠部材10を交換することが可能となる。
【００１５】
そのため、おもて側の時分針5や風防ガラスを取り外す事なく、特別な技術を要さず容易に文字盤意匠の変更が可能な
時計を提供できる。
【００１６】
これらは、掛け時計、置時計、腕時計等の各種時計に実施することが可能である。
【００１７】
このことにより、この時計はメーカー、小売、ユーザーのどの段階においても容易に文字盤を変更することができる。
【００１８】
ユーザーにおいては、時計をいつでも好みの意匠に容易に変更が可能なので、時計の着せ替えという新たな時計の楽しみ方を享受し得る。
【００１９】
またメーカー、小売においては、文字盤意匠となる意匠部材10がユーザーレベルでも容易に交換できることで、時計本体とは別に意匠交換用の意匠部材10のみを多品種製品として設定することができる。
【００２０】
そのことで新たな時計販売の手法が展開可能である。
【００２１】
意匠部材10は、透明板30背面の時計機構20と重ならない形状のものであれば、様々なグラフィック、表現手法、造形、材質等
を使ったどのような意匠でも設定することが可能である。
【００２２】
意匠部材10には、時計としての機能を有した１２時間分の意匠が表示でき、意匠部材10を交換することにより
全く違う外観の時計に変更することが可能である。
【００２３】
意匠部材10を透明板30との間で挟み込む機能を有するおさえ板40があることで、意匠部材10は薄いシート状のものや布等柔らかいものでも意匠部材10として設定が可能である。
【００２４】
図5において、透明板30とおさえ板40の間に厚み分の隙間を設けることで、厚みのある意匠部材10を組み込むことも可能である。それによりレリーフのような立体的な造形の意匠部材10も設定できる。
【００２５】
図6から図8は本発明の実施形態の変形例である。
【００２６】
図６から図８に示す本発明の実施形態の変形例に示すように、意匠部材10を自立可能な板材で構成することで、
透明板３０とおさえ板40を省略することもできる。
【００２７】
このような意匠部材10を備えることで、開発者、デザイナーにおいても文字盤意匠部の表現としてのグラフィック、形状、材質などに大きな自由度を有しているので、自由な発想、さまざまなアプローチで、時計の種類、使用場所、目的や嗜好などに応じてこれまでにないような新しくクリエイティブな意匠の時計が創出出来得る時計である。
【符号の説明】
【００２８】
1  時計
5  時分針
10  意匠部材
20  時計機構
30  透明板                                                                      
40  おさえ板
50  一致部
【図１】
2018136251.tif 000003
【図２】
2018136251.tif 000004
【図３】
2018136251.tif 000005
【図４】
2018136251.tif 000006
【図５】
2018136251.tif 000007
【図６】
2018136251.tif 000008
【図７】
2018136251.tif 000009
【図８】
2018136251.tif 000010